(57)【要約】  洗濯機内槽および洗濯機において、内槽は槽底部（３００）と、これと接続される槽体（２００）とを含む。槽底部（３００）は槽底部本体（３１０）および槽底部保護カバー（３２０）を含み、槽底部保護カバー（３２０）は槽底部本体（３１０）の底部を密封して覆うように取り付けられ、槽底部（３００）の外表面全体を滑らかな面にする。洗濯機内槽における槽底部保護カバー（３２０）の外表面は滑らかで平らな面であり、内槽の槽底部（３００）に対する洗浄顆粒の洗浄効果により有利である。槽底部保護カバー（３２０）は槽底部本体（３１０）の底部と密封接続され、補強リブ構造を密閉空間にする。洗濯水が補強リブ構造中に進入するのを防止し、槽底部の補強リブ構造部分に細菌が繁殖する、または汚れが蓄積する問題を根本的に防止した。【選択図】図４
2018538034.tif 000002
【特許請求の範囲】
【請求項１】
槽底部（３００）と、これと接続される槽体（２００）とを含む洗濯機内槽であって、前記槽底部（３００）は槽底部本体（３１０）および槽底部保護カバー（３２０）を含み、前記槽底部保護カバー（３２０）は槽底部本体（３１０）の底部を密封して覆うように取り付けられ、槽底部（３００）の外表面を滑らかな面にすることを特徴とする、洗濯機内槽。
【請求項２】
前記槽底部本体（３１０）の底部に補強リブ構造が設けられ、槽底部保護カバー（３２０）の外表面は滑らかな面であり；前記槽底部保護カバー（３２０）は、槽底部本体（３１０）の底部と密封接続されて一体構造を形成し、槽底部保護カバー（３２０）は補強リブ構造を完全に覆い、補強リブ構造を密閉空間にすることを特徴とする、請求項１に記載の洗濯機内槽。
【請求項３】
前記槽底部本体（３１０）の底面外側に第１接続面（３１４）が設けられ、槽底部保護カバー（３２０）の底面内側に第２接続面（３２８）が設けられ、第１接続面（３１４）は第２接続面（３２８）と密封接続され；前記槽底部本体（３１０）の側壁に第３接続面（３１５）が設けられ、槽底部保護カバー（３２０）の側壁端部は第４接続面（３２１）であり、第３接続面（３１５）は第４接続面（３２１）と密封接続されることを特徴とする、請求項２に記載の洗濯機内槽。
【請求項４】
前記槽底部本体（３１０）の底面に第１開口が設けられ、第１開口が内槽外側に延伸して第１接続面（３１４）が形成され、槽底部保護カバー（３２０）の底面に第１開口に対応して第２開口が設けられ、第２開口が内槽内側に延伸して第２接続面（３２８）が形成されることを特徴とする、請求項３に記載の洗濯機内槽。
【請求項５】
前記槽底部本体（３１０）の側壁下部および底面に補強リブ構造が設けられ、槽底部本体（３１０）の側壁における補強リブ構造との接続部分に第３接続面（３１５）が設けられ、前記槽底部保護カバー（３２０）の側壁端部は第４接続面（３２１）であることを特徴とする、請求項３に記載の洗濯機内槽。
【請求項６】
前記槽底部（３００）にフランジ構造（３３０）が取り付けられ、前記フランジ構造（３３０）は槽底部保護カバー（３２０）の底面外側に設置され；
好ましくは、前記槽底部本体（３１０）の底面にボス（３１７）が設けられ、槽底部保護カバー（３２０）の底面に、ボス（３１７）に対応してネジ孔（３２５）が設けられ、前記フランジ構造（３３０）は、ネジおよびボス（３１７）を使用して内槽底（３００）に接続、固定されることを特徴とする、請求項１〜５のいずれか１項に記載の洗濯機内槽。
【請求項７】
前記槽底部保護カバー（３２０）の底面内側におけるネジ孔（３２５）の周囲の位置に突起構造が設けられ、突起構造の端部は第６接続面（３２７）であり、前記槽底部本体（３１０）の底面におけるボス（３１７）の周囲の位置に環状補強リブが１周に設けられ、環状補強リブの端部は第５接続面（３１６）であり；前記第６接続面（３２７）は第５接続面（３１６）と密封接続されることを特徴とする、請求項６に記載の洗濯機内槽。
【請求項８】
前記槽底部保護カバー（３２０）は、溶着方式により槽底部本体（３１０）と一体に接続され、前記第１接続面（３１４）、第２接続面（３２８）、第３接続面（３１５）、第４接続面（３２１）、第５接続面（３１６）および第６接続面（３２７）は、それぞれ溶着面であることを特徴とする、請求項７に記載の洗濯機内槽。
【請求項９】
前記内槽は外槽中に回転可能に設置され、内槽および外槽の間に、内槽外壁および外槽内壁を洗浄する洗浄顆粒が設けられ；前記槽底部保護カバー（３２０）は中空の環状蓋体であり、フランジ構造（３３０）は槽底部保護カバー（３２０）の中空位置を対応して塞ぎ；前記フランジ構造（３３０）に、該中空位置部分に対応して透水通路（３３２）が設けられ、透水通路（３３２）は洗濯水を流出させ、洗浄顆粒の進入を阻止することができることを特徴とする、請求項６に記載の洗濯機内槽。
【請求項１０】
請求項１〜９のいずれか１項に記載の内槽を有する洗濯機。
【発明の詳細な説明】
【技術分野】
【０００１】
本発明は洗濯装置の技術分野に関し、具体的に、洗濯機内槽および洗濯機に関する。
【背景技術】
【０００２】
家庭用の電動全自動洗濯機の内外槽は嵌着され、その動作過程は、衣類を内槽中に投入し、槽中に注水して洗剤を添加し、自動的に洗濯、すすぎおよび脱水プログラムを実行する。使用過程において、洗濯槽は常に洗濯水、衣類、糸屑などと接触する必要がある。さらに洗濯機は一般的に湿った、通気性の悪い洗面所内に置かれ、長時間使用する過程で、内外槽間に汚れが溜まるのは不可避である。現在の洗濯機は、内外槽間の間隙が比較的小さく、外槽上部に外槽カバーが設計され、ユーザは内槽を洗浄するのが難しい。そこで長時間使用すると、内槽の汚れからカビ、細菌などが生じ、衣類の洗濯効果に影響を及ぼすだけでなく、二次汚染が生じ、ユーザの健康に影響を及ぼす。
【０００３】
既存の１つの対応方法は、内外槽間にゴムボールの顆粒を投入する。特許番号第２００８２０１８３３０８．４号の中国特許は、「槽間の洗浄を備えた二重槽洗濯機」を開示している。内外槽間に複数の円形シリコーンボールを投入し、洗濯機内槽の回転を利用して水を流動させ、これにより洗濯機内槽、外槽間のシリコーンボールを運動させて、絶えず内外槽の両壁に衝突させ、内外槽壁を洗浄する目的を達成する。ゴムボールの顆粒の密度は水に相当するか、または水の密度よりやや低い。ユーザが洗濯機を使用して通常の洗濯を行うとき、ゴムボールの顆粒は水中に浮かび、洗濯過程で内槽外壁および外槽内壁と衝突、摩擦し、上面の汚れを効果的に除去することができる。
【０００４】
他に、パルセータ洗濯機の内槽の強度を高めるため、一般的に、内槽底に複数の補強リブが設計される。これらの補強リブは相互に交差し、内槽底に多くのくぼみを構成する。くぼみ構造の存在により、汚れは極めて容易にここに堆積し、さらに補強リブは比較的多く、くぼみ構造は多くて小さい。ゴムボールの顆粒で槽壁を洗浄するとき、ゴムボールの顆粒は根本的にくぼみ構造に進入することができず、内槽底の洗浄を実現することができず、洗浄効果に影響を及ぼす。
【０００５】
既存の特許番号が第２０１１２０５５４７５３．９号、名称が洗濯機内槽および洗濯機である中国実用新案は、洗濯機内槽を提供しており、バランスリング、槽体、槽底部を含む。槽底部に保護カバーがさらに取り付けられ、保護カバーは環状縦側壁と、排水孔を備えた平らな底面とからなる。前記保護カバーの側壁は槽底部の側壁外側に位置し、保護カバーおよび内槽底の間はネジで接続されるか、または係着される。該実用新案は、該洗濯機内槽構造を使用し、自動洗浄機能を備えた洗濯機にも関する。該実用新案は洗濯機の内槽底部に保護カバーを取り付け、ゴムボールが内槽底のくぼみに進入するのを効果的に阻止する。ゴムボールが内外槽壁を洗浄する効果を高めると同時に、脱水時に、ゴムボールが内槽に衝突して騒音が生じるのを低下させ、洗濯機の製品の品質を高める。
【０００６】
上記実用新案は洗濯機内槽の底部に保護カバーを取り付け、ゴムボールがくぼみに進入するのを防止し、槽壁の洗浄効果を確実に保証し、脱水時、ゴムボールが衝突して騒音が生じるのを防止する。しかし、保護カバーに排水孔を備え、洗濯水はやはりくぼみ中に進入し、くぼみ中に汚れが生じる。一端汚れが生じると、除去するのは難しいか、または根本的に除去することはできない。
【０００７】
このことを考慮して、特に本発明を示す。
【先行技術文献】
【特許文献】
【０００８】
【特許文献１】中国特許番号第２００８２０１８３３０８．４号明細書
【特許文献２】中国実用新案番号第２０１１２０５５４７５３．９号明細書
【発明の概要】
【課題を解決するための手段】
【０００９】
上記技術的問題を解決するため、本発明における第１の発明の目的は、槽底部の自動洗浄がより容易である洗濯機内槽を提供することである。具体的に、以下の技術案を採用した。
洗濯機内槽は、槽底部と、これと接続される槽体とを含む。前記槽底部は槽底部本体および槽底部保護カバーを含み、前記槽底部保護カバーは槽底部本体の底部を密封して覆うように取り付けられ、槽底部の外表面全体を滑らかな面にする。
【００１０】
さらに、前記槽底部本体の底部に補強リブ構造が設けられ、槽底部保護カバーの外表面は滑らかな面である。前記槽底部保護カバーは、槽底部本体の底部と密封接続されて一体構造を形成し、槽底部保護カバーは補強リブ構造を完全に覆い、補強リブ構造を密閉空間にする。
【００１１】
さらに、前記槽底部本体の底面外側に第１接続面が設けられ、槽底部保護カバーの底面内側に第２接続面が設けられ、第１接続面は第２接続面と密封接続される。前記槽底部本体の側壁に第３接続面が設けられ、槽底部保護カバーの側壁端部は第４接続面であり、第３接続面は第４接続面と密封接続される。
【００１２】
さらに、前記槽底部本体の底面に第１開口が設けられ、第１開口が内槽外側に延伸して第１接続面が形成される。槽底部保護カバーの底面に第１開口に対応して第２開口が設けられ、第２開口が内槽内側に延伸して第２接続面が形成される。
【００１３】
さらに、前記槽底部本体の側壁下部および底面に補強リブ構造が設けられ、槽底部本体の側壁における補強リブ構造との接続部分に第３接続面が設けられ、前記槽底部保護カバーの側壁端部は第４接続面である。
【００１４】
さらに、前記槽底部にフランジ構造が取り付けられ、前記フランジ構造は槽底部保護カバーの底面外側に設置される。
【００１５】
さらに、前記槽底部本体の底面にボスが設けられ、槽底部保護カバーの底面に、ボスに対応してネジ孔が設けられる。前記フランジ構造は、ネジおよびボスを使用して内槽底に接続、固定される。
【００１６】
さらに、前記槽底部保護カバーの底面内側におけるネジ孔の周囲の位置に突起構造が設けられ、突起構造の端部は第６接続面である。前記槽底部本体の底面におけるボスの周囲の位置に環状補強リブが１周に設けられ、環状補強リブの端部は第５接続面である。前記第５接続面は、第６接続面と密封接続される。
【００１７】
さらに、前記槽底部保護カバーは、溶着方式により槽底部本体と一体に接続される。前記第１接続面、第２接続面、第３接続面、第４接続面、第５接続面および第６接続面は、それぞれ溶着面である。
【００１８】
さらに、前記内槽は外槽中に回転可能に設置され、内槽および外槽の間に、内槽外壁および外槽内壁を洗浄する洗浄顆粒が設けられる。前記槽底部保護カバーは中空の環状蓋体であり、フランジ構造は槽底部保護カバーの中空位置を対応して塞ぐ。前記フランジ構造に、該中空位置部分に対応して透水通路が設けられ、透水通路は洗濯水を流出させ、洗浄顆粒の進入を阻止することができる。
【００１９】
本発明の洗濯機内槽は、内槽および外槽の間に洗浄顆粒を有する洗濯機に特別に適用される。槽底部は槽底部本体および槽底部保護カバーの２つの部分を含み、槽底部保護カバーは槽底部本体の補強リブ構造を覆う。槽底部保護カバーの外表面は滑らかで平らな面であり、このように、内槽の槽底部に対する洗浄顆粒の洗浄効果により有利である。他に、槽底部保護カバーは槽底部本体の底部と密封接続され、補強リブ構造を密閉空間にする。洗濯水が補強リブ構造中に進入するのを防止し、槽底部の補強リブ構造部分に細菌が繁殖する、または汚れが蓄積する問題を根本的に防止した。
【００２０】
したがって、本発明の洗濯機内槽は、内槽の槽底部に対する洗浄顆粒の洗浄により有利であり、槽底部の補強リブ構造部分に細菌が繁殖する、または汚れが蓄積するのを防止し、槽壁の自動洗浄効果は良好であり、広大な市場の見通しを有する。
【００２１】
本発明における第２の発明の目的は、上記のいずれか１項に記載の洗濯機内槽を有する洗濯機を提供することである。
【図面の簡単な説明】
【００２２】
【図１】図１は、本発明における洗濯機内槽の構造概要図である。
【図２】図２は、本発明における図１の断面図である。
【図３】図３は、本発明における図２の部分拡大図である。
【図４】図４は、本発明における洗濯機内槽の槽底部の分解図である。
【図５】図５は、本発明における槽底部保護カバーの立体構造の概要図である。
【発明を実施するための形態】
【００２３】
以下、図を組み合わせて、本発明の洗濯機内槽および洗濯機について、詳細に説明する。
図１および図２に示すように、洗濯機内槽は、槽底部３００と、これと接続される槽体２００とを含む。前記槽底部３００は槽底部本体３１０および槽底部保護カバー３２０を含み、前記槽底部保護カバー３２０は、槽底部本体３１０の底部を密封して覆うように取り付けられ、槽底部の外表面全体を滑らかな面にする。
【００２４】
本発明の槽体２００および槽底部３００が囲んで、洗濯衣類を入れる槽状構造が形成される。槽体２００は一般的に金属材料で製造され、槽底部３００は一般的にプラスチック構造である。したがって、槽底部３００の強度を確保するため、槽底部本体３１０の底部に一連の補強リブ構造が設けられる。
【００２５】
補強リブ構造は径方向補強リブ３１２および環状リブ３１３を含み、径方向補強リブ３１２および環状リブ３１３が交差して複数のくぼみ構造が形成される。
【００２６】
本発明の槽底部３００は槽底部本体３１０および槽底部保護カバー３２０を含み、槽底部保護カバー３２０の外表面は滑らかで平らな面である。前記槽底部保護カバー３２０は槽底部本体３１０の底部と密封接続され、槽底部保護カバー３２０は補強リブ構造を完全に覆い、補強リブ構造を密閉空間にする。
【００２７】
本発明の洗濯機内槽は、内槽および外槽の間に洗浄顆粒を有する洗濯機に特別に適用される。槽底部３００は槽底部本体３１０および槽底部保護カバー３２０の２つの部分を含み、槽底部保護カバー３２０は槽底部本体３１０の補強リブ構造を覆う。槽底部保護カバー３２０の外表面は滑らかで平らな面であり、このように、内槽の槽底部３００に対する洗浄顆粒の洗浄効果により有利である。槽底部保護カバー３２０は槽底部本体３１０の底部と密封接続され、補強リブ構造を密閉空間にする。洗濯水が補強リブ構造中に進入するのを防止し、槽底部の補強リブ構造部分に細菌が繁殖する、または汚れが蓄積する問題を根本的に防止した。
【００２８】
本発明の槽底部本体３１０は底部が中空の環状鉢状構造であり、閉じた円環状を呈する槽底部本体の側壁３１１と、これと接続される槽体本体の底面とを含む。槽底部保護カバー３２０の外側輪郭は槽底部本体３１０の外側輪郭と対応し、槽底部保護カバー３２０は槽底部本体３１０を覆うように取り付けられ、補強リブ構造を覆う。
【００２９】
既存の槽底部本体３１０における槽底部本体の側壁３１１および槽体本体の底面に、補強リブ構造が設けられるため、槽底部保護カバー３２０と槽底部本体３１０の底部との密封接続を実現し、補強リブ構造を密閉空間にする。
【００３０】
図４および図５に示すように、本発明の槽底部本体３１０の底面外側に第１接続面３１４が設けられ、槽底部保護カバー３２０の底面内側に第２接続面３２８が設けられ、第１接続面３１４は第２接続面３２８と密封接続される。前記槽底部本体３１０の側壁に第３接続面３１５が設けられ、槽底部保護カバー３２０の側壁端部は第４接続面３２１であり、第３接続面３１５は第４接続面３２１と密封接続される。このように、本発明の槽底部本体３１０および槽底部保護カバー３２０における２つの縁部の接続部分は、いずれも密封接続を実現し、これにより２つの縁部の接続部分の間に位置する補強リブ構造を密閉空間にする。
【００３１】
図３に示すように、本発明の第１接続面３１４および第２接続面３２８の密封接続は、図中Ｃ部分の密封面を形成し、第３接続面３１５および第４接続面３２１の密封接続は、図中Ａ部分の接続面を形成する。槽底部本体３１０の補強リブ構造は、全て図中ＡおよびＣの間の密閉空間内に位置し、完全に外部と隔絶される。洗濯水が補強リブ構造と接触するのを防止し、槽底部の補強リブ構造部分に細菌が繁殖する、または汚れが蓄積する問題を根本的に防止した。
【００３２】
具体的に、図４および図５に示すように、本発明の槽底部本体３１０の底面に第１開口が設けられ、第１開口が内槽外側に延伸して第１接続面３１４が形成される。槽底部保護カバー３２０の底面に、第１開口に対応して第２開口が設けられ、第２開口が内槽内側に延伸して第２接続面３２８が形成される。
【００３３】
槽底部本体３１０の第１開口は、洗濯機のパルセータを取り付けるためであり、したがって第１開口は槽底部本体３１０の最も内側の縁部である。槽底部保護カバー３２０に第２開口が設けられるのは槽底部本体３１０に対応させ、パルセータの取付に影響を及ぼさないためであり、第２開口は槽底部保護カバー３２０の最も内側の縁部である。したがって、本発明は第１接続面３１４を第１開口に設け、第２接続面３２８を第２開口に設け、これにより槽底部本体３１０の最も内側の縁部は、槽底部保護カバー３２０の最も内側の縁部と密封接続される。
【００３４】
本発明の槽底部本体３１０の側壁下部および底面に補強リブ構造が設けられ、槽底部本体３１０の側壁における補強リブ構造との接続部分に第３接続面３１５が設けられ、前記槽底部保護カバー３２０の側壁端部は第４接続面３２１である。本発明の第３接続面３１５および第４接続面３２１は、槽底部本体３１０および槽底部保護カバー３２０の接続部分における最も外側の縁部に設けられ、これにより槽底部本体３１０の最も外側の縁部は、槽底部保護カバー３２０の最も外側の縁部と密封接続される。
【００３５】
洗濯機内槽底部３００はさらに伝動軸と接続され、伝動軸はモータの駆動下で内槽の回転を実現する。内槽底部３００は一般的に射出成型により製造されるため、内槽底部３００および伝動軸の接続強度を確保するため、一般的に内槽底部３００にフランジ構造３３０が取り付けられ、フランジ構造３３０は一般的に金属材料で製造される。具体的に、本発明の槽底部３００にフランジ構造３３０が取り付けられ、前記フランジ構造３３０は槽底部保護カバー３２０の底面外側に設置される。本発明はフランジ構造３３０を槽底部保護カバー３２０の底面外側に取り付け、これによりフランジ構造３３０の取付は、槽底部本体３１０および槽底部保護カバー３２０の間の密封面に影響を及ぼさず、密封接続の効果を確実に保証する。
【００３６】
具体的に、本発明の槽底部本体３１０は槽底部３００の主要構造であり、槽底部保護カバー３２０は主に槽底部本体３１０の補強リブ構造を覆うためである。したがって、その全体の強度を保証するため、本発明の槽底部本体３１０の厚さは槽底部保護カバー３２０より厚い。フランジ構造３３０の安定した取付を保証するため、本発明は槽底部本体３１０の底面にボス３１７が設けられ、槽底部保護カバー３２０の底面に、ボス３１７に対応してネジ孔３２５が設けられる。前記フランジ構造３３０は、ネジおよびボス３１７を使用して内槽底３００に接続、固定される。
【００３７】
図４から、槽底部本体３１０の底面に設けられるボス３１７は補強リブ構造の間に位置することがわかり、したがって、フランジ構造３３０の取付により、洗濯水がネジ孔３２５部分から補強リブ構造中に進入する可能性がある。洗濯水がネジ孔３２５から補強リブ構造に入り込むのをさらに防止するため、本発明は、槽底部保護カバー３２０の底面内側におけるネジ孔３２５の周囲の位置に突起構造が設けられ、突起構造の端部は第６接続面３２７である。前記槽底部本体３１０の底面におけるボス３１７の周囲の位置に環状補強リブが１周に設けられ、環状補強リブの端部は第５接続面３１６であり、前記第６接続面３２７は第５接続面３１６と密封接続される。このように、図３に示すように、本発明はボス３１７の周囲に密封面Ｂが１周に形成され、密封面Ｂおよび密封面Ａの間の補強リブ構造は依然として完全に密閉された空間であり、すなわち大部分の補強リブ構造の密封を実現した。
【００３８】
さらに、本発明は、槽底部保護カバー３２０の底面内側におけるネジ孔３２５の内側の位置にも突起構造が設けられ、突起構造の端部は第８接続面である。前記槽底部本体３１０の底面におけるボス３１７の内側の位置に環状補強リブが１周に設けられ、環状補強リブの端部は第７接続面であり、前記第８接続面は第７接続面と密封接続される。このように、ボス３１７の内側にも密封面が１周に形成され、ボス３１７の内側および密封面Ｃの間の補強リブ構造も密封した。さらには、槽底部本体３１０の底面に、ボス３１７に設けられた１周の補強リブ構造しか有さず、完全に密封されないが、その他の部分はいずれも完全密封状態にあり、槽底部補強リブ構造部分に細菌が繁殖する、または汚れが蓄積するのを防止する技術的効果を実現する。
【００３９】
本発明の内槽は外槽中に回転可能に設置され、内槽および外槽の間に、内槽外壁および外槽内壁を洗浄する洗浄顆粒が設けられる。前記槽底部保護カバー３２０は中空の環状蓋体であり、フランジ構造３３０は槽底部保護カバー３２０の中空位置を対応して塞ぐ。前記フランジ構造３３０に、該中空位置部分に対応して透水通路３３２が設けられ、透水通路３３２は洗濯水を流出させ、洗浄顆粒の進入を阻止することができる。具体的に、本発明のフランジ構造３３０は円盤状構造である。
【００４０】
本発明の透水通路３３２は排水の需要を保証し、さらに透水通路３３２は洗浄顆粒の進入を阻止する必要がある。図４に示すように、透水通路３３２は複数含み、フランジ構造３３０の径方向に沿って設けられる細長いスリット構造であり、細長いスリット構造の幅は洗浄顆粒の直径より小さい。
【００４１】
他に、フランジ構造３３０に、その全体の強度を補強する複数の突起リブ３３１がさらに設けられる。
【００４２】
槽底部本体３１０および槽底部保護カバー３２０の間の密封接続を実現するため、本発明の槽底部保護カバー３２０は、溶着方式により槽底部本体３１０と一体に接続される。前記第１接続面３１４、第２接続面３２８、第３接続面３１５、第４接続面３２１、第５接続面３１６および第６接続面３２７はそれぞれ溶着面である。溶着方式を採用することにより、各接続面の間は一体に溶融接続することができ、接続の緊密性を確保し、良好な密封効果を有する。
【００４３】
溶着工程の操作のため、本発明は、槽底部保護カバー３２０の底面に、溶着作業に用いる溶着定位孔３２６が設けられる。
【００４４】
当業者に周知のその他の接続方式は、槽底部本体３１０および槽底部保護カバー３２０の間の密封接続を実現することができれば利用することができる。例えば接着、またはボルトによる接続は、密封面部分にシールストリップが追加される。
【００４５】
本発明の槽底部保護カバー３２０の内壁に、その全体の強度を補強する補強リブ３２９が設けられる。補強リブ３２９は複数含み、槽底部保護カバー３２０の径方向に沿って１周に設けられる。
【００４６】
本発明の洗濯機内槽における槽体２００の開口に、バランスリング１００が取り付けられる。
【００４７】
本発明におけるもう１つの発明の目的は、上記洗濯機内槽を有する洗濯機を提供することである。前記内槽は外槽中に回転可能に設置され、前記内槽および外槽の間に、内槽外壁および外槽内壁を洗浄する洗浄顆粒が設けられる。したがって、本発明の洗濯機は、上記洗濯機内槽を採用すると、内槽底の外表面全体が滑らかで平らな構造になり、洗浄顆粒は内槽底をより良好に洗浄することができる。
【００４８】
以上の記載は本発明の好ましい実施例に過ぎず、本発明をどのような形式でも制限しない。本発明は好ましい実施例により上記のように開示したが、本発明を限定するものではない。当業者は本発明の技術案を逸脱しない範囲内で、上記に示した技術内容を利用して、均等変化した等価実施例に変更または修飾することができるが、いずれも本発明の技術案の内容を逸脱しない。本発明の技術的本質に基づいて、以上の実施例に対して行う簡単な修正、均等変化および修飾は、いずれも本発明案の範囲内に属する。
【符号の説明】
【００４９】
１００  バランスリング
２００  槽体
３００  槽底部
３１０  槽底部本体
３１１  槽底部本体の側壁
３１２  径方向補強リブ
３１３  環状リブ
３１４  第１接続面
３１５  第３接続面
３１６  第５接続面
３１７  ボス
３２０  槽底部保護カバー
３２１  第４接続面
３２２  槽底部保護カバーの側壁
３２３  槽底部保護カバーの底面
３２４  定位取付部
３２５  ネジ孔
３２６  溶着定位孔
３２７  第６接続面
３２８  第２接続面
３２９  補強リブ
３３０  フランジ構造
３３１  突起リブ
３３２  透水通路
【図１】
2018538034.tif 000003
【図２】
2018538034.tif 000004
【図３】
2018538034.tif 000005
【図４】
2018538034.tif 000006
【図５】
2018538034.tif 000007
【国際調査報告】
2018538034.tif 000008
2018538034.tif 000009
2018538034.tif 000010
2018538034.tif 000011